(57)【要約】【課題】浮き上がり防止スペーサをランナー連結部材に後付け可能にして組み立て作業効率を大幅に改善させ、上レールへのローラーの取り付け作業を容易にし、且つ浮き上がり防止スペーサの磨耗時の交換作業を手間をかけずに容易にすること。【解決手段】上レールに走行自在に支持されるローラー３４を有するランナー本体２４と、引戸の上部に取着されたランナー連結部材４０と、ランナー連結部材４０とランナー本体２４とを連結するランナー縦軸３２とを備えた引戸のランナー装置において、引戸の浮き上がりを防止するための浮き上がり防止スペーサ１２０を上レールとランナー連結部材４０との間に配置すると共に、浮き上がり防止スペーサ１２０をランナー連結部材４０に対して着脱可能に取り付けるためのスペーサ取付手段１１１を設けた。【選択図】図１
2007315105.tif 000002
【特許請求の範囲】
【請求項１】
上レールに走行自在に支持されるローラーを有するランナー本体と、引戸の上部に取着されたランナー連結部材と、ランナー連結部材とランナー本体とを連結するランナー縦軸とを備えた引戸のランナー装置において、引戸の浮き上がりを防止するための浮き上がり防止スペーサを上レールとランナー連結部材との間に配置すると共に、浮き上がり防止スペーサをランナー連結部材に対して着脱可能に取り付けるためのスペーサ取付手段を設けたことを特徴とする引戸のランナー装置。
【請求項２】
前記スペーサ取付手段は、ランナー縦軸を回避する位置でランナー連結部材に形成された上方に開口する凹部と、浮き上がり防止スペーサの下面側から突設されて前記凹部に圧入される凸部とで構成されていることを特徴とする請求項１記載の引戸のランナー装置。
【発明の詳細な説明】
【技術分野】
【０００１】
本発明は、上レールに案内されて開閉移動する上吊り式の引戸を備えた引戸のランナー装置に関するものである。
【背景技術】
【０００２】
従来から、上吊り式の引戸のランナー装置が上レールに走行自在に支持されて開閉移動する引戸装置が知られており、このランナー装置は、上レールに走行自在に支持されるローラーを有するランナー本体と、引戸の上部に取着されたランナー連結部材と、ランナー連結部材とランナー本体とを連結するランナー縦軸とを備え、ローラーを上レールに沿って転動させることで引戸の開閉移動がなされるようになっている。
【０００３】
ところで、ローラーは上レールに転動自在となっているにすぎず、このため引戸の開閉動作中に外部からの衝撃等によって引戸に上下方向のガタツキが生じやすく、このとき引戸に取着されているランナー連結部材が上レールに衝突したり擦れたりして、上レールの見え掛かり部分に擦り傷が生じて、外観を損なう恐れがあり、また騒音などの原因ともなっていた。
【０００４】
そこで、本出願人は、ランナー連結部材と上レールとの間に干渉部材（以下「浮き上がり防止スペーサ」という。）を挿入した引戸装置を既に出願している（例えば、特許文献１参照）。これによれば、引戸の開閉動作中に引戸が上下にガタついてランナー連結部材が上レールに衝突したり擦れたりするのを浮き上がり防止スペーサによって防止できるので、上レールに擦れ傷が付いたりすることがなく、意匠上の問題や騒音などの原因をなくすことができるものである。
【０００５】
しかしながら前記特許文献１に開示されている浮き上がり防止スペーサ１２０は図１１に示すように、ランナー縦軸３２に取り付けられる筒形ワッシャーで構成されており、組み立て時においてランナー本体２４に取り付けたランナー縦軸３２に浮き上がり防止スペーサ１２０を挿入し、その後、ランナー縦軸３２の下端をランナー連結部材４０にカシメるようにしているが、仮りに浮き上がり防止スペーサ１２０の挿入忘れが生じたときは、ランナー縦軸３２をランナー連結部材４０から一旦取り外して、浮き上がり防止スペーサ１２０を挿入し直す必要があり、作業効率が悪いものであった。また、浮き上がり防止スペーサ１２０が磨耗した時には、ローラー３４を上レールから取り外し、更にランナー縦軸３２をランナー連結部材４０から取り外してから、浮き上がり防止スペーサ１２０をランナー縦軸３２から取り外して交換する必要があり、このため浮き上がり防止スペーサ１２０の交換のために面倒で大掛かりな作業を強いられ、メンテナンスに多大な手間と労力を要するものであった。なお図中の１３０は引戸に取着される高さ調整機能付きホルダーである。
【特許文献１】特開２００５−３３０７９４号公報
【発明の開示】
【発明が解決しようとする課題】
【０００６】
本発明は前記の従来の問題点に鑑みて発明したものであって、浮き上がり防止スペーサをランナー連結部材に後付け可能にして組み立て作業効率を大幅に改善させることができ、また上レールへのローラーの取り付け作業を容易にでき、さらに浮き上がり防止スペーサの磨耗時の交換作業を手間をかけずに容易に行なえるようにした引戸のランナー装置を提供することを課題とするものである。
【課題を解決するための手段】
【０００７】
前記課題を解決するために本発明は、上レール５に走行自在に支持されるローラー３４を有するランナー本体２４と、引戸の上部に取着されたランナー連結部材４０と、ランナー連結部材４０とランナー本体２４とを連結するランナー縦軸３２とを備えた引戸のランナー装置において、引戸の浮き上がりを防止するための浮き上がり防止スペーサ１２０を上レール５とランナー連結部材４０との間に配置すると共に、浮き上がり防止スペーサ１２０をランナー連結部材４０に対して着脱可能に取り付けるためのスペーサ取付手段１１１を設けたことを特徴としている。
【０００８】
このような構成とすることで、浮き上がり防止スペーサ１２０を、従来のようなランナー縦軸３２ではなく、引戸に取着されるランナー連結部材４０に着脱可能に取り付けることができるので、ランナー本体２４の組み立て段階で仮りに浮き上がり防止スペーサ１２０の挿入忘れがあっても、浮き上がり防止スペーサ１２０をランナー連結部材４０に後付けできるようになる。また、スペーサ取付手段１１１によって浮き上がり防止スペーサ１２０の動きが止められるので、工場或いは現場でローラー３４を上レール５に挿入する過程で、浮き上がり防止スペーサ１２０が上レール５に干渉することがなく、上レール５へのローラー３４の取り付け作業がスムーズに行なえるようになる。さらに、浮き上がり防止スペーサ１２０が磨耗した時には、上レール５とランナー連結部材４０との間から浮き上がり防止スペーサ１２０を取り外して交換できるので、従来のようにローラー３４を上レール５から取り外してランナー縦軸３２とランナー連結部材４０とを分解するという面倒で大掛かりな作業を省略できるようになる。
【０００９】
また、前記スペーサ取付手段１１１は、ランナー縦軸３２を回避する位置でランナー連結部材４０に形成された上方に開口する凹部１１２と、浮き上がり防止スペーサ１２０の下面側から突設されて前記凹部１１２に圧入される凸部１１３とで構成されているのが好ましく、このような構成とすることで、浮き上がり防止スペーサ１２０をランナー連結部材４０の上面側に押し付けて凸部１１３をランナー連結部材４０の凹部１１２に圧入することによって、浮き上がり防止スペーサ１２０をランナー縦軸３２と干渉しない位置でランナー連結部材４０に対してワンタッチで取り付けることができ、また、浮き上がり防止スペーサ１２０の取り外しもワンタッチで行なうことができる。
【発明の効果】
【００１０】
本発明に係る引戸のランナー装置は、引戸の浮き上がりを防止するための浮き上がり防止スペーサを上レールとランナー連結部材との間に配置すると共に、浮き上がり防止スペーサをランナー連結部材に対して着脱可能に取り付けるためのスペーサ取付手段を設けたことにより、浮き上がり防止スペーサをランナー連結部材に後付け可能となるので、浮き上がりによる上レールの傷付きを防止できると共に、組み立て作業効率を大幅に改善できるものであり、また、ローラーを上レールに挿入する際にスペーサ取付手段によって浮き上がり防止スペーサの動きが止められるので、上レールへのローラーの取り付け作業をスムーズに行なうことができ、さらに、浮き上がり防止スペーサが磨耗した時にも、浮き上がり防止スペーサの交換を容易に行なうことができるものである。
【発明を実施するための最良の形態】
【００１１】
以下、本発明を添付図面に示す実施形態に基いて説明する。
【００１２】
本実施形態の引戸装置は、図６、図７に示すように、閉じた状態で連続して隣り合う３枚引戸１〜３の組が、中央引戸３と、中央引戸３の右側方に配置される一方引戸２と、中央引戸３の左側方に配置される他方引戸１とからなり、前記３枚引戸１〜３の組は、閉じた状態では面一となるように配置され、後述の誘導機構１９により、面一に閉じられた状態において一方引戸２を他方引戸１側に向かって移動して一方引戸２を他方引戸１の前面に重なるように誘導し、且つ中央引戸３を他方引戸１側に向かって移動して他方引戸１の後に重なるように誘導して前後に重なり合う状態で開くことができるようになっている。
【００１３】
ここで、図６は、一方引戸２を他方引戸１側に向かって移動して一方引戸２を他方引戸１の前面に重なるように誘導し、且つ中央引戸３を他方引戸１側に向かって移動して他方引戸１の後面に重なるように誘導する第１の開き動作を示し、図７は、面一に閉じられた状態にある３枚引戸１〜３の組において他方引戸１を一方引戸２側に向かって移動して他方引戸１を一方引戸２の前面に重なるように誘導し、且つ中央引戸３を一方引戸２側に向かって移動して一方引戸２の後面に重なるように誘導する第２の開き動作を示し、図６、図７の例では、第１の開き動作と第２の開き動作のいずれかを任意に選択自在となっている。
【００１４】
次に、誘導機構１９を説明する。本実施形態の誘導機構１９は、図２〜図４に示すように、３枚引戸１〜３を走行自在にガイドする上レール５と、各引戸１〜３の上端部にそれぞれ設けた左右２個の上ランナー２１〜２３とを備えている。ここで、３枚引戸１〜３の扉枠４は、左右の縦枠４ａと上レール５と下レール６とで構成されている。
【００１５】
上レール５は、躯体に固定される上レール本体５０と、上レールカバー５１とで構成される。上レールカバー５１は、直進部レールカバー５１Ａ、曲進部レールカバー５１Ｂ、分岐部材１８等で構成される。そして、上レール本体５０に上レールカバー５１を取り付けた状態で、図９、図１０に示すように、上レール本体５０と上レールカバー５１との隙間に、前後方向Ａ，Ｂに並んで、溝状の共用レール部７と溝状の中央引戸用レール部８とが並設されるようになっている。共用レール部７は、左右両側の引戸１，２の各上端部の両端２箇所に設けた左右２個の上ランナー２１、２２をそれぞれ走行自在にガイドするものであり、中央引戸用レール部８は中央引戸３の上端部に設けた左右２個の上ランナー２３を走行自在にガイドするものである。なお図９中の２００は枠連結部材、Ｘは室内側、Ｙは天井側である。
【００１６】
前記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。
【００１７】
前記中央引戸用レール部８は、前側直進レール部９と平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。本例では外側曲進レール部１１、内側曲進レール部１２、湾曲レール部１３は、曲進部レールカバー５１Ｂに各々形成されている。なお、曲進部レールカバー５１Ｂは分岐部材１８を介して上レール本体５０に対してネジ止め固定されており、直進部レールカバー５１Ａは上レール本体５０に対してネジ止め固定されている。
【００１８】
ここにおいて、前記前側直進レール部９に設けた左右２個の外側曲進レール部１１の後端部と、左右２個の内側曲進レール部１２の後端部と、後側直進レール部１０における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は他方引戸１の左右の上ランナー２２間の距離に等しく、また、右側の外側曲進レール部１１の後端部と右側の内側曲進レール部１２の後端部との間の距離は一方引戸２の左右の上ランナー２１間の距離に等しく、更に、左右の湾曲レール部１３の前端部間の距離は中央引戸３の左右の上ランナー２３間の距離に等しく設定してある。
【００１９】
ここで、図５（ａ）に示す閉状態では、他方引戸１の各上ランナー２１が左側に位置する外側曲進レール部１１と内側曲進レール部１２の各後端部にそれぞれ入り込み、中央引戸３の各上ランナー２３が左右２個の湾曲レール部１３の各前端部にそれぞれ入り込み、且つ一方引戸２の各上ランナー２２が右側に位置する外側曲進レール部１１と内側曲進レール部１２の各後端部にそれぞれ入り込むことで、各引戸１〜３が上レール５の長手方向Ｍと平行な同一平面となるように並置される。
【００２０】
一方、図５（ｄ）に示す右開き状態では、他方引戸１の各上ランナー２１が左側に位置する外側曲進レール部１１と内側曲進レール部１２の各後端部にそれぞれ入り込み、中央引戸３の各上ランナー２３が後側直進レール部１０の左側にそれぞれ移動し、且つ一方引戸２の各上ランナー２２が前側直進レール部９の左側にそれぞれ移動することで、手前から順に一方引戸２と他方引戸１と中央引戸３とが重ねて並置される。
【００２１】
また、図７の左開き状態では、一方引戸２の各上ランナー２２が右側に位置する外側曲進レール部１１及び内側曲進レール部１２の各後端部にそれぞれ入り込み、中央引戸３の各上ランナー２３が後側直進レール部１０の右側にそれぞれ移動し、且つ、他方引戸１の各上ランナー２１が前側直進レール部９の右側にそれぞれ移動することで、手前から順に他方引戸１と一方引戸２と中央引戸３とが重ねて並置され、これら右開き状態と左開き状態とは選択自在となっている。つまり、誘導機構１９は、一方引戸２と中央引戸３と他方引戸１とを前後に重ねた状態で、中央引戸３を他方引戸１と重ならない位置に移動して他方引戸１と面一となるように誘導し、且つ一方引戸２を他方引戸１及び中央引戸３とは重ならない位置に移動して中央引戸３と面一となるように誘導する機能も兼ねている。
【００２２】
次に連動機構１５を説明する。
【００２３】
図５は連動機構１５の一例を示し、右開きの具体例を示している。ここでは、各引戸１〜３の相互の突き合わせ部には、互いに対向する一対の隙間隠し用Ｌ形部材１６が取り付けられている。また、図５（g）（ｈ）に示すように、操作側引戸の把手側の上端面から中央引戸３の移動径路に向って突出する当たり部１５ａと、当たり部１５ａの先端に設けた鉤形のフック部１５ｂと、中央引戸３の上端面から突出して当たり部１５ａに当接可能で且つフック部１５ｂに係脱可能な受け部材１５ｃとで構成されている。そして例えば右開きにする場合は、一方引戸２と中央引戸３とが図５（ａ）のように左右にずれた状態では受け部材１５ｃは当たり部１５ａ及びフック部１５ｂとは干渉せず、一方引戸２と中央引戸３とが図５（ｂ）のように概ね重なる段階で受け部材１５ｃが当たり部１５ａに片当たりして一方引戸２と中央引戸３との連動が始まり、図５（ｃ）のように他方引戸１を挟んで一方引戸２と中央引戸３とが前後に離反する段階で受け部材１５ｃが当たり部１５ａからフック部１５ｂに係合した状態となる。この係合状態は一方引戸２及び中央引戸３開位置になるまで持続される。逆に閉じる場合は、受け部材１５ｃがフック部１５ｂに入りこんでいるために、一方引戸２を途中まで閉じる段階までは中央引戸３は連動し、中央引戸３の閉位置で受け部材１５ｃがフック部１５ｂから外れ、さらに当たり部１５ａから離れることで、一方引戸２を閉位置まで単独で移動させることができる。従って、連動機構１５によって中央引戸３を連動させて開閉することが可能となり、中央引戸３を手で開閉する必要がなくなり、開閉操作がきわめて容易となる。
【００２４】
次に上ランナー２１〜２３を説明する。図８に示すように、ランナー本体２４は、樹脂製のローラーブロック３０の横方向に貫通する孔３３にローラー横軸３１を貫通させ、ローラー横軸３１の両端に一対のローラー３４が回転自在に取り付けられ、この一対のローラー３４が共用レール部７又は中央引戸用レール部８に沿って回転自在に走行される。本実施形態では、ローラー横軸３１の先端３１ａをカシメることで、ローラー３４はローラー横軸３１に取り付けられている。またこのとき、ローラー３４の外側面３４ｂには凹段部３４ａが形成され、ローラー横軸３１の先端３１ａのカシメ部分がローラー３４の外側面３４ｂよりも外方に突出しないようにしてある。さらにローラーブロック３０のセンター位置には縦方向に座ぐり孔３５が形成され、ランナー縦軸３２を座ぐり孔３５からローラー横軸３１の中心に設けた貫通孔３６を通して、引戸１〜３側に取り付けたＬ形金具からなるランナー連結部材４０に対してカシメることで、ローラーブロック３０をランナー縦軸３２を中心に回転自在としている。これによりローラー３４は、互いに直交するローラー横軸３１とランナー縦軸３２とによって複数方向に回転自由度を持っているため、直進だけでなく、曲進の場合の走行の安定感も同時に得られるようになっている。
【００２５】
また本実施形態では、図８（ｂ）（ｃ）に示すように、上ランナー２１〜２３を引戸１〜３の上端部に連結するためのランナー連結部材４０を、上ランナー２１〜２３が引戸１〜３の後面よりも後方Ｂはみ出して位置するように略Ｌ字形に屈曲形成している。ランナー連結部材４０の垂直片４０ａを引戸１〜３側に固定し、水平片４０ｂに上ランナー２１（又は２２、２３）のランナー縦軸３２を枢着している。このように、ランナー連結部材４０を略Ｌ字形に屈曲させることで、扉枠の見込み寸法（奥行き）を従来よりも小さくした場合でも、図２に示すように、引戸１〜３の開動作時に一方引戸２（操作側引戸）を室内側に突出させて配置できるので、クローゼットの場合、従来品よりも収納容量がアップすると共に、収納庫内に荷崩れが発生した場合でも、少なくとも１枚の引戸を開けることができる。また、室内から下レール６が見えにくくなり、見栄えが一層向上するものである。
【００２６】
ところで、引戸２，３の上端部に連動機構１５を設けている場合、引戸２，３の連動開始時や引戸の全閉時に、フック部１５ｂを回転中心、把手部を力点として、把手が取り付けられていない側の引戸の端部側に浮き上がりが発生しやすい。この浮き上がりが発生すると、商品としての品位を損なうだけでなく、フック部１５ｂ（図５（ｈ））が上レール５と接触して傷がついたり、或いは引戸の浮き上がりと同時にランナー本体２４が浮き上がり、上レール５内部の分岐部材１８を破損させるといった問題がある。そこで、本発明では、図３に示すように、ランナー連結部材４０と上レール５との間に、樹脂製ワッシャーからなる浮き上がり防止スペーサ１２０を配置している。これにより、引戸の浮き上がりを最小限に押えるだけでなく、浮き上がりによる上レール５の傷付きを防止でき、さらに分岐部材１８の破損を防止できるようになる。
【００２７】
そこで本発明においては、各上ランナー２１〜２３において、図１に示すように、ランナー連結部材４０の上面に浮き上がり防止スペーサ１２０が取り付けられている。浮き上がり防止スペーサ１２０は、上レール５とランナー連結部材４０との間に配置される。この浮き上がり防止スペーサ１２０は略Ｕ字形をした樹脂ワッシャーで形成されており、その中央部にはランナー縦軸３２を逃がすための一端が開口した逃がし凹所１１４が形成されていると共に、逃がし凹所１１４を挟んでその両端部側から下方に向かって一対の凸部１１３が突設されている。一方、ランナー連結部材４０の水平片４０ｂの両端部側には上方に開口した凹部１１２が形成されている。本例の凹部１１２は、上下方向に貫通する貫通孔１１２ａからなり、この貫通孔１１２ａはランナー縦軸３２を挟んでその両側に形成されている。これら貫通孔１１２ａに凸部１１３をそれぞれ上方から圧入することで、浮き上がり防止スペーサ１２０がランナー連結部材４０から容易に抜けてしまうことのない状態で取り付けられる。これら逃がし凹所１１４と凸部１１３と貫通孔１１２ａとで、ランナー縦軸３２と干渉しない位置で浮き上がり防止スペーサ１２０をランナー連結部材４０に対して着脱可能に取り付けるためのスペーサ取付手段１１１が構成されている。
【００２８】
なお本例では、ローラーブロック３０のランナー縦軸３２よりも前方Ａ又は後方Ｂのいずれかに寄せて補助ローラー２５ａ又は２５ｂが取付軸３７にて各々取り付けられている。さらに本例では、各引戸１〜３において、前記補助ローラー２５ａと補助ローラー２５ｂの突出高さ及びその突出位置を異ならせている。ここでは図３に示すように、一方引戸２及び他方引戸１の左側の補助ローラー２５ｂを手前側の位置から高く突出させ、右側の補助ローラー２５ａを後前側の位置から低く突出させている。また、中央引戸３の左側の補助ローラー２５ａを手前側の位置から低く突出させ、右側の補助ローラー２５ｂを後側の位置から高く突出させている。一方、第１の補助レール１８ａは、前側直進レール部９よりも手前側の位置から左側の外側曲進レール部１１に沿って短く垂下しており、第２の補助レール１８ｂは、前側直進レール部９よりも後側の位置から左側の内側曲進レール部１２に沿って長く垂下している。さらに、前側直進レール部９及び後側直進レール部１０に沿って、それぞれ、ランナー本体２４の両側面をガイドする前後一対のガイドリブ３８を設け、前記外側曲進レール部１１、内側曲進レール部１２、湾曲レール部１３の各分岐点とそれぞれ対向するガイドリブ３８の一部に、分岐部材１８によって曲進するランナー本体２４を外側曲進レール部１１又は内側曲進レール部１２又は湾曲レール部１３のいずれかに進行させるための切欠穴３９（図１０）を形成している。なお、補助ローラー２５ａ，２５ｂの高さ及び位置を異ならせることで、外側曲進レール部１１、内側曲進レール部１２、湾曲レール部１３の各分岐点において引戸１〜３の進行方向を直進か曲進かを決める構造は、例えば特開２００５−３３０７９４号公報に詳細に示されており、詳細な説明は省略する。
【００２９】
しかして、前記構成によれば、浮き上がり防止スペーサ１２０を取り付けるにあたって、浮き上がり防止スペーサ１２０をランナー連結部材４０の上面に押し付けて、浮き上がり防止スペーサ１２０に設けた一対の凸部１１３をランナー連結部材４０に設けた一対の貫通孔１１２ａにそれぞれ圧入することによって、浮き上がり防止スペーサ１２０をランナー連結部材４０に対してワンタッチで取り付けることができる。この浮き上がり防止スペーサ１２０によって引戸の開閉動作中にランナー連結部材４０が上下にガタついて上レール５に衝突したり擦れたりするのを防止できるようになる。これにより、上レール５の見え掛かり部分に擦り傷が生じたり、ランナー本体２４が浮き上がって上レール５内部の分岐部材１８を破損させるということがなくなり、結果、意匠上の問題や騒音などの原因をなくして、商品としての品位を高めることができる。
【００３０】
また本発明の浮き上がり防止スペーサ１２０は、従来のようにランナー縦軸３２ではなく、引戸に取着されるランナー連結部材４０側に取り付けられるので、ランナー本体２４の組み立て段階で仮りに浮き上がり防止スペーサ１２０の挿入忘れがあっても、浮き上がり防止スペーサ１２０をランナー連結部材４０に後付けができるようになり、これにより、従来のようにローラー３４を上レール５から取り外してランナー縦軸３２とランナー連結部材４０とを分解して浮き上がり防止スペーサ１２０を挿入し直すという手間が省かれ、組み立て作業効率を大幅に改善できるようになる。
【００３１】
また、スペーサ取付手段１１１を構成する貫通孔１１２ａと凸部１１３によって浮き上がり防止スペーサ１２０の動きが止められているので、工場或いは現場でローラー３４を上レール５に挿入する過程で、浮き上がり防止スペーサ１２０が上レール５に干渉することがなく、上レール５へのローラー３４の取り付け作業をスムーズに行なうことができると共に、施工後に引戸に継続的に振動が加えられた場合や引戸の開閉時の振動が大きい場合であっても、スペーサ取付手段１１１を構成する凸部１１３と貫通孔１１２ａとの圧入によって浮き上がり防止スペーサ１２０がランナー連結部材４０から容易に抜けてしまうことがないものであり、
さらに、浮き上がり防止スペーサ１２０が磨耗した時には、浮き上がり防止スペーサ１２０を取り外す方向に人為的な外力を加えた場合のみ、取り外すことができる。例えばマイナスドライバーの先端を浮き上がり防止スペーサ１２０とランナー連結部材４０との隙間に差し込んで回すことで、貫通孔１１２ａから凸部１１３を引き抜くことができるので、浮き上がり防止スペーサ１２０の取り外しをワンタッチで行なうことができる。従って、従来のようにローラー３４を上レール５から取り外してランナー縦軸３２とランナー連結部材４０とを分解するという面倒で大掛かりな作業を省略できるので、交換作業がきわめて良好となる。
【００３２】
本発明に係る引戸のランナー装置は、クローゼットの扉以外に各種の開閉扉の分野に広く適用可能である。
【図面の簡単な説明】
【００３３】
【図１】（ａ）は本発明の一実施形態に用いる浮き上がり防止スペーサが取り付けられた上ランナーの正面図、（ｂ）は（ａ）のＭ―Ｍ線から見た平面図、（ｃ）は（ｂ）の矢符ｎから見た正面図である。
【図２】同上の上レールにランナー本体を吊り下げ支持した状態の説明図である。
【図３】（ａ）（ｂ）は同上のランナー本体を取り付けた状態の説明図である。
【図４】（ａ）は同上の引戸装置の正面図、（ｂ）は平面図、（ｃ）は側面図である。
【図５】（ａ）〜（ｄ）は同上の引戸の閉状態から右開き状態への移行を具体的に説明する平面図、（ｅ）は（ａ）のイ部の拡大図、（ｆ）は（ａ）のロ部の拡大図、（ｇ）は（ａ）のハ部の拡大図、（ｈ）は（ａ）のニ部の拡大図である。
【図６】同上の３枚引戸の右開き動作の説明図である。
【図７】同上の３枚引戸の左開き動作の説明図である。
【図８】（ａ）は同上の上ランナーの分解斜視図、（ｂ）は低い補助ローラーを前側に寄せて設けたランナー本体の斜視図、（ｃ）は高い補助ローラーを後方に寄せて設けたランナー本体の斜視図である。
【図９】同上の誘導機構を下方から見た斜視図である。
【図１０】同上の誘導機構の分解斜視図である。
【図１１】従来の浮き上がり防止スペーサの取り付け状態の説明図である。
【符号の説明】
【００３４】
５  上レール
２１〜２３  上ランナー
２４  ランナー本体
３２  ランナー縦軸
３４  ローラー
４０  ランナー連結部材
１１１  スペーサ取付手段
１１２  凹部
１１３  凸部
１１４  逃がし凹所
１２０  浮き上がり防止スペーサ
【図１】
2007315105.tif 000003
【図２】
2007315105.tif 000004
【図３】
2007315105.tif 000005
【図４】
2007315105.tif 000006
【図５】
2007315105.tif 000007
【図６】
2007315105.tif 000008
【図７】
2007315105.tif 000009
【図８】
2007315105.tif 000010
【図９】
2007315105.tif 000011
【図１０】
2007315105.tif 000012
【図１１】
2007315105.tif 000013